(57)【特許請求の範囲】
【請求項１】
画像読取部を収容する上部筐体と、画像形成部及び給紙部を収容する下部筐体と、前記上部筐体と前記下部筐体とを一方の側で上下方向に連結するとともに内側面に用紙を排出する排紙口を有する連結筐体とによって装置本体の外観が構成され、前記上部筐体と前記下部筐体との間に、前記排紙口から排出された用紙を蓄積し取り出すために前方側が開放された空間である排紙部が設けられ、前記上部筐体の前面であって前記連結筐体とは反対側の前記上部筐体の他方の側に操作パネル部が設けられた構造の画像処理装置であって、
前記操作パネル部と前記連結筐体との間に前記排紙部に排出される用紙を視認できる開放空間が設けられ、
平面視長方形状に形成された前記操作パネル部の一方の側の側面が、前側端部から前記上部筐体の前面側である後側端部に向けて前記開放空間の前記排紙部に向かう第１傾斜面に形成され、
前記連結筐体の正面は、外側の縁部から前記開放空間側の縁部に向けて前記排紙部に向かう第２傾斜面に形成され、
前記開放空間を構成する前記上部筐体の前面下部には、前記排紙部に向かって傾斜する第３傾斜面が形成され、
前記排紙部の用紙積載面が前記排紙口側に向かって下る傾斜面に形成されるとともに、前記開放空間は、前記用紙積載面の前記傾斜面の傾斜下端部の用紙整合基準位置を視認可能に設けられ、前記開放空間の横幅は、前記装置本体の正面に対峙している操作者が前記排紙部に手を入れて用紙を取り出すことができる幅に形成されていることを特徴とする画像処理装置。
【請求項２】
請求項１に記載の画像処理装置であって、
前記操作パネル部は、タッチパネルを搭載した表示部からなるキーレスパネルであることを特徴とする画像処理装置。
【発明の詳細な説明】
【技術分野】
【０００１】
本発明は、上部筐体と、下部筐体と、これら上部筐体と下部筐体とを一方の側で連結する連結筐体とで装置本体の外観が構成され胴内排紙構造の画像処理装置に係り、より詳細には、上部筐体の前面に上下回動可能に操作パネル部が設けられた画像処理装置に関する。
【背景技術】
【０００２】
従来、胴内排紙構造（いわゆるインナー排紙構造）の画像処理装置において、上部筐体の前面に上下回動可能に操作パネル部を設けたものが種々提案されている（例えば、特許文献１，２等参照）。
【０００３】
特許文献１には、装置本体の前面に設けられた操作パネルが、左右の水平方向に伸びる回転軸まわりに回転可能に組み付けられており、前記操作パネルの前記回転軸まわりの傾斜姿勢が、これら装置本体と操作パネルとの間に設けられた姿勢調整機構により、複数段に変更調整可能に構成された画像形成装置（画像処理装置）が記載されている。
【０００４】
また、特許文献２には、装置本体により上下動自在に軸支された操作部と、該操作部の上下角度を変化させる調整機構とを備えた操作部角度調整装置が搭載された画像形成装置（画像処理装置）が記載されている。
【０００５】
上記特許文献１，２記載の画像処理装置は、操作パネルや操作部（以下、操作パネル部という。）が上下回動可能なチルト式となっており、車椅子の人の使用を考慮したユニバーサルデザインとなっている。すなわち、車椅子の人が使用する場合には、操作パネル部が従来固定の水平位置ではパネル画面が見づらいため、操作パネル部を下方に回動（例えば、斜め４５度に傾斜）させて、操作パネル部にほぼ対面した状態で各種の操作が行えるようになっている。
【先行技術文献】
【特許文献】
【０００６】
【特許文献１】特開２００７−３３４１５７号公報
【特許文献２】特開２００９−１３９４３４号公報
【発明の概要】
【発明が解決しようとする課題】
【０００７】
一方、画像処理装置は、近年その機能も増えており、それぞれの機能に対応すべくキー数も増加する傾向にある。そのため、近年の操作パネル部は、視認性及び操作性を向上させるべく、中央部に大画面のタッチパネル式液晶表示部を備え、その横に、テンキーや電源キーといったアナログキー（メカキー）が設けられた構成となっており、大型化の傾向にある。そのため、操作パネル部が操作者の手前側に徐々に張り出す形となっている。
【０００８】
特許文献１，２に記載の画像処理装置も、装置本体の正面のほぼ全長にわたる大きさの操作パネル部が設けられており、この大型の操作パネル部を、上下方向に回動させる構造となっている。
【０００９】
ところで、インナー排紙構造の画像処理装置では、排紙部が上部筐体と下部筐体の間に挟まれた格好となっているため、画像処理装置の正面に立ってコピー等を行ったとき、排紙部に排出された用紙が非常に見づらい状態となっている。そのため、この排紙部の上下方向の空間距離を広くして排紙部内を見易くしたり、排紙部の内壁の色を黒色や青色等にすることで、排出された白い用紙が見易いように工夫されているものもある。しかし、それは排紙部の前方側の空間が十分に開放されている場合の話しであって、チルト式の操作パネル部では、これを下方に回動させると、操作パネル部によって排紙部の前方開放部を塞いでしまう格好となる。そのため、上記した工夫だけでは、排出された用紙の確認や取り出しが十分容易に行えるとは言えないといった問題があった。
【００１０】
本発明はかかる問題点を解決すべく創案されたもので、その目的は、操作パネル部がチルト式となっているインナー排紙構造の画像処理装置において、操作パネル部を傾斜させた状態においても、用紙の排出状況の確認や用紙の取り出しを容易に行うことのできる画像処理装置を提供することにある。
【課題を解決するための手段】
【００１１】
上記課題を解決するため、本発明の画像処理装置は、画像読取部を収容する上部筐体と、画像形成部及び給紙部を収容する下部筐体と、前記上部筐体と前記下部筐体とを一方の側で上下方向に連結するとともに内側面に用紙を排出する排紙口を有する連結筐体とによって装置本体の外観が構成され、前記上部筐体と前記下部筐体との間に、前記排紙口から排出された用紙を蓄積し取り出すために前方側が開放された空間である排紙部が設けられ、前記上部筐体の前面に上下回動可能に操作パネル部が設けられた構造の画像処理装置であって、前記操作パネル部が前記連結筐体とは反対側の前記上部筐体の他方の側に寄せて設けられ、前記操作パネル部と前記連結筐体との間に前記排紙部に排出される用紙を視認できる開放空間が設けられていることを特徴としている。
【００１２】
本発明の画像処理装置によれば、操作パネル部と連結筐体との間に、排紙部に排出される用紙を視認できる開放空間が確保されているので、チルト式の操作パネル部が下方に回動された状態であっても、装置本体の正面に対峙している操作者は、この開放空間を通じて、排紙部への用紙の排出状況を容易に視認することが可能となる。
【００１３】
また、本発明の画像処理装置は、前記排紙部の用紙積載面が前記排紙口側に向かって下る傾斜面に形成され、前記開放空間は、前記用紙積載面の傾斜下端部の用紙整合基準位置を視認可能に設けられた構成としている。
【００１４】
このような構成とすれば、装置本体の正面に対峙している操作者は、開放空間から用紙整合基準位置を視認できるので、排紙部に排出された用紙を容易に確認することができる。この場合、排出された用紙は必ず用紙整合基準位置で整合されるため、用紙サイズに係わらず、排出された用紙を確実に視認することができる。
【００１５】
また、本発明の画像処理装置によれば、前記開放空間の横幅は、前記装置本体の正面に対峙している操作者が前記排紙部に手を入れて用紙を取り出すことができる幅に形成された構成としている。
【００１６】
このような構成とすれば、排紙部に排出された用紙を視認できるだけでなく、その用紙の取り出しも開放空間から行うことができるので、例えば操作パネル部が下方側に回動されていて、排紙部を塞ぐような状態であっても、開放空間だけは常に開放状態であるため、排紙部から用紙を容易に取り出すことができる。
【００１７】
また、本発明の画像処理装置は、平面視長方形状に形成された前記操作パネル部の一方の側の側面が、前側端部から前記上部筐体の前面側である後側端部に向けて前記開放空間に向かう第１傾斜面に形成された構成としている。より具体的には、前記装置本体の正面に対峙している操作者が、前記操作パネル部の前記第１傾斜面に沿って前記排紙部を視認できるように形成された構成としている。
【００１８】
このような構成とすれば、第１傾斜面が視線を誘導する案内板的な役割を果たすので、操作者の視線を自然に開放空間に向かわせることができる。これにより、操作者は、排紙部への用紙の排出状況を自然と視認することになり、用紙の取り忘れなども無くすことができる。また、この第１傾斜面が用紙を取り出すために手を差し入れるときの案内板的な役割も果たすため、手を排紙部に差し入れても操作パネル部が邪魔になることはない。
【００１９】
また、本発明の画像処理装置によれば、前記連結筐体の正面は、外側の縁部から前記開放空間側の縁部に向けて前記排紙部内に向かう第２傾斜面に形成された構成としている。
【００２０】
このような構成とすれば、第２傾斜面が視線を誘導する案内板的な役目を果たし、操作者の視線を自然に開放空間に向かわせることができる。これにより、操作者は、排紙部への用紙の排出状況を自然と視認することになり、用紙の取り忘れなども無くすことができる。
【００２１】
また、本発明の画像処理装置によれば、前記開放空間を構成する前記上部筐体の前面下部に、前記排紙部に向かって傾斜する第３傾斜面が形成された構成としている。
【００２２】
このような構成とすれば、第３傾斜面が視線を誘導する案内板的な役目を果たし、操作者の視線を自然に開放空間に向かわせることができる。これにより、操作者は、排紙部への用紙の排出状況を自然と視認することになり、用紙の取り忘れなども無くすことができる。
【００２３】
すなわち、本発明の画像処理装置によれば、開放空間を構成する３辺が第１傾斜面と第２傾斜面と第３傾斜面とで構成されており、装置本体の正面に対峙している操作者から見れば、その全ての面が開放空間に向かうように傾斜しているため、操作者の視線が自ずと開放空間に誘導されるようになっている。これにより、排紙部に排出される用紙の視認性や、その後の操作性（取り出しの容易性）を向上させることができる。
【００２４】
また、本発明の画像処理装置によれば、前記操作パネル部は、タッチパネルを搭載した表示部からなるキーレスパネルとなっている。すなわち、従来、タッチパネル式表示部の横に配置されていたテンキーや電源キーといったアナログキーを無くしたキーレスパネルとなっている。従って、アナログキーを無くした分、操作パネル部を小型化（特に、横幅を小さく）することができ、その結果、操作パネル部と連結筐体との間に十分な幅の開放空間を確保することが可能となっている。
【発明の効果】
【００２５】
本発明の画像処理装置は、操作パネル部と連結筐体との間に、排紙部に排出される用紙を視認できる開放空間が確保されているので、チルト式の操作パネル部が下方に回動された状態であっても、操作者は、この開放空間を通じて、排紙部への用紙の排出状況を容易に視認することができる。従って、用紙の取り出しが容易となり、また、取り忘れも防止することができる。
【図面の簡単な説明】
【００２６】
【図１】本発明の実施形態に係る画像処理装置の全体斜視図である。
【図２】本発明の実施形態に係る画像処理装置の上部を拡大して示す斜視図である。
【図３Ａ】操作パネル部が水平配置された状態における画像処理装置の側面図である。
【図３Ｂ】操作パネル部が水平配置された状態における画像処理装置の正面図である。
【図４Ａ】操作パネル部が手前側に傾斜配置された状態における画像処理装置の側面図である。
【図４Ｂ】操作パネル部が手前側に傾斜配置された状態における画像処理装置の正面図である。
【図５】操作パネル部の周辺部分を拡大して示す平面図である。
【図６】図３ＢのＡ−Ａ線に沿う筐体部分の概略断面図である。
【発明を実施するための形態】
【００２７】
以下、本発明の実施の形態について、図面を参照して説明する。
【００２８】
図１は、本発明の実施形態に係る画像処理装置の全体斜視図、図２は、本発明の実施形態に係る画像処理装置の上部を拡大して示す斜視図、図３Ａは、操作パネル部が水平配置された状態における画像処理装置の側面図、図３Ｂは、操作パネル部が水平配置された状態における画像処理装置の正面図、図４Ａは、操作パネル部が手前側に傾斜配置された状態における画像処理装置の側面図、図４Ｂは、操作パネル部が手前側に傾斜配置された状態における画像処理装置の正面図、図５は、操作パネル部の周辺部分を拡大して示す平面図、図６は、図３ＢのＡ−Ａ線に沿う筐体部分の概略断面図である。
【００２９】
本実施形態の画像処理装置１００は、装置本体１と自動原稿処理装置２とによって構成され、装置本体１は、正面から見てコの字型に形成された胴内排紙構造となっている。
【００３０】
装置本体１は、図示は省略しているが、内部に、露光ユニットからなるスキャナ部、現像器、感光体ドラム、クリーナユニット、帯電器、中間転写ベルトユニット、定着ユニット等からなる画像形成部、給紙カセット、用紙搬送路からなる給紙部等を備えて構成されている。
【００３１】
この装置本体１は、本体上部に配置されるスキャナ部を収容する上部筐体１１と、スキャナ部の下部に配置される画像形成部及び給紙部を収容する下部筐体１２と、上部筐体１１と下部筐体１２とを一方の側（本実施形態では正面から見て右側）で上下方向に連結するとともに内側面に用紙を排出する胴内排紙口１３ａ（図２等参照）を有する連結筐体１３とによって外観が構成されており、上部筐体１１と下部筐体１２との間に、胴内排紙口１３ａから排出された用紙を蓄積し取り出すために前方側が開放された空間である胴内排紙部１５が設けられている。連結筐体１３には、画像形成部を構成する定着ユニットの他、インナーフィニッシャーを備えている場合にはこのインナーフィニッシャーも収容されている。
【００３２】
また、上部筐体１１の１段凹んだ前面１１ａには、平面視略長方形状に形成された操作パネル部２１が、上下回動可能な状態で設けられている。なお、操作パネル部２１を上下回動させるチルト式の構造（回動機構及び姿勢調整機構）については、すでに種々の機構構造が提案されており、本発明においてもこれらの周知構造を適用することが可能であるため、ここでは、機構構造についての説明を省略する。因みに、本出願人においても、操作パネル部を上下回動させる回動機構及び姿勢調整機構についての出願を行っている（特願２０１０−１００４６２号参照）。
【００３３】
また、上部筐体１１の上部には、原稿が載置される透明ガラスからなる原稿載置台（図示省略）が設けられ、この原稿載置台の上に自動原稿処理装置２が取り付けられている。自動原稿処理装置２は、原稿載置トレイ２ａに載置された原稿を原稿載置台の原稿読取位置に自動で搬送する装置である。また、自動原稿処理装置２は矢印Ｍ方向に回動自在に構成され、原稿載置台の上を開放することにより原稿を手置きで置くことができるようになっている。
【００３４】
この画像処理装置１００は、原稿載置台に原稿を置く場合、胴内排紙部１５の排紙トレイ１５ａから用紙を取り出す場合、及び、給紙部に用紙を補給する場合に、これらの作業を装置本体１の正面側から行うことが可能なフロントアクセスタイプとなっている。また、下部筐体１２の上部正面には前扉１６が設けられ、連結筐体１３が配置されている右側面にも上下４箇所に横扉１７ａ〜１７ｄが設けられている。また、前扉１２の下に給紙部の各給紙用カセット１９ａ〜１９ｄが手前側に引き出し可能に配置されている。そして、前扉１６を開けることにより、トナーの補給、感光体の交換、定着器や帯電器の修理や交換などのメンテナンスを行うことが可能となっている。また、詰まった用紙を用紙搬送路から除去する場合には、横扉１７ａ〜１７ｄも必要に応じて開くようになっている。ただし、排紙トレイ１５ａを胴内排紙部１５に配置する以外、上部筐体１１、下部筐体１２及び連結筐体１３に配置される各構成部材は一例であり、この配置構成に限定されるものではない。
【００３５】
このような構成において、操作パネル部２１は連結筐体１３とは反対側である上部筐体１１の他方の側（本実施形態では正面から見て左側）に寄せて設けられており、操作パネル部２１と連結筐体１３との間に、胴内排紙部１５に排出される用紙を視認できる開放空間（図１、図３Ｂ及び図４Ｂ中に斜線を付して示す）３１が設けられている。
【００３６】
ここで、本実施形態では、操作パネル部２１は、テンキーや電源キーといった従来のアナログキーを無くしたキーレスパネルとなっている。すなわち、操作パネル部２１はタッチパネル（キーパッド）式液晶表示部で構成されている。従って、アナログキーを無くした分、操作パネル部２１を小型化（特に、横幅を小さく）することができ、その結果、操作パネル部２１と連結筐体１３との間に十分な幅の開放空間３１を確保することが可能となっている。
【００３７】
このように、操作パネル部２１と連結筐体１３との間に、胴内排紙部１５に排出される用紙を視認できる開放空間３１を確保することで、チルト式の操作パネル部２１が下方に回動された状態（図４Ａ及び図４Ｂに示す状態）であっても、装置本体１の正面に対峙している操作者は、この開放空間３１を通じて胴内排紙部１５を視認し、胴内排紙部１５への用紙の排出状況を容易に確認することが可能となる。すなわち、従来は若干姿勢を低くする等して、胴内排紙部１５内を視認することで用紙の排出状況を確認していたが、本実施形態の画像処理装置１００によれば、開放空間３１があることで、このような低い姿勢を取ることもなく、立ったままの状態でも十分に胴内排紙部１５に排出される用紙の確認を行うことが可能となる。
【００３８】
また、胴内排紙部１５の用紙積載面である排紙トレイ１５ａは、連結筐体１３の胴内排紙口１３ａ側に向かって下る傾斜面に形成されており、開放空間３１は、この排紙トレイ１５ａの傾斜下端部の用紙整合基準位置（すなわち、連結筐体１３の内側面に相当）１５ｂ（図２、図３Ｂ及び図４Ｂ参照）を視認可能に設けられている。
【００３９】
このような構成とすれば、装置本体１の正面に対峙している操作者は、開放空間３１から用紙整合基準位置１５ｂを視認できるので、胴内排紙部１５内を覗き込むといった仕種をしなくても、排紙トレイ１５ａ上に排出された用紙を確認することができる。この場合、排出された用紙の端部は、用紙整合基準位置１５ｂで整合されるため、用紙サイズに係わらず、排出された用紙を確実に視認することができる。つまり、葉書サイズやＡ５サイズといった小さなサイズの用紙であっても、用紙整合基準位置１５ｂが視認できることで、用紙の存在を確実に確認することが可能となる。
【００４０】
また、開放空間３１の横幅Ｗ1は、装置本体１の正面に対峙している操作者が、排紙部１５に手を入れて排紙トレイ１５ａから用紙を取り出すことができる程度の幅に形成されている。この横幅Ｗ１は、広ければ広い程よいが、操作パネル部２１の横幅や装置本体１の横幅等を考慮すると、例えば１０〜１５ｃｍ程度の幅に形成されているのがよい。
【００４１】
このような構成とすれば、胴内排紙部１５の排紙トレイ１５ａ上に排出された用紙を視認できるだけでなく、その用紙の取り出しも開放空間３１から容易に行うことができるので、例えば操作パネル部２１が下方側に回動されていて、胴内排紙部１５の一部を塞ぐような状態（図４Ａ及び図４Ｂに示す状態）であっても、開放空間３１だけは常に開放状態であるため、この開放空間３１から手を差し入れて、胴内排紙部１５の排紙トレイ１５ａ上に積載された用紙を容易に取り出すことができる。
【００４２】
また、本実施形態では、操作パネル部２１の一方の側（図１，図２，図３Ｂ，図４Ｂでは右側）の側面２２を、前側端部２２ａから上部筐体１１の１段前に突き出た前面１１ｂ側である後側端部２２ｂに向けて開放空間３１に向かう第１傾斜面に形成している。より具体的には、装置本体１の正面に対峙している操作者が、操作パネル部２１の第１傾斜面（側面）２２に沿って開放空間３１（すなわち、胴内排紙部１５）を視認できるように、その傾斜角度θ１（図５参照）が設定されている。すなわち、装置本体１の正面に対峙している操作者が、その立ち位置の姿勢で開放空間３１を見たとき、第１傾斜面２２が僅かに見える傾斜角度に設定されている。
【００４３】
このような構成とすれば、第１傾斜面２２が視線を誘導する案内板的な役割を果たすため、装置本体１の正面に対峙している操作者の視線（図５中に破線で示す）を、自然に開放空間３１の方に向かわせることができる。これにより、操作者は、胴内排紙部１５の排紙トレイ１５ａ上への用紙の排出状況を自然と視認することになり、用紙の取り忘れなども無くすことができる。また、この第１傾斜面２２が用紙を取り出すために手を差し入れるときの案内板的な役割も果たすため、手を胴内排紙部１５に差し入れるときに操作パネル部２１が邪魔になることはない。すなわち、操作者は、第１傾斜面２２に沿って手を差し入れればよい。
【００４４】
また、本実施形態では、連結筐体１３の正面１３ｂも、外側の縁部１３ｂ１から開放空間３１側の縁部１３ｂ２に向けて、胴内排紙部１５内に向かう第２傾斜面（傾斜角度θ２）に形成している。
【００４５】
このような構成とすれば、第２傾斜面１３ｂが視線を誘導する案内板的な役目を果たすため、装置本体１の正面に対峙している操作者の視線を、自然に開放空間３１の方に向かわせることができる。これにより、操作者は、胴内排紙部１５の排紙トレイ１５ａ上への用紙の排出状況を自然と視認することになり、用紙の取り忘れなども無くすことができる。
【００４６】
また、本実施形態では、開放空間３１を構成する上部筐体１１の１段前へ突き出た前面１１ｂの下部にも、胴内排紙部１５に向かって傾斜する第３傾斜面１１ｃを形成している。より具体的には、装置本体１の正面に対峙している操作者が、操作パネル部２１の第３傾斜面１１ｃに沿って開放空間３１（すなわち、胴内排紙部１５）を視認できるように、その傾斜角度θ３（図６参照）が決定されている。すなわち、装置本体１の正面に対峙している操作者が、その立ち位置の姿勢で開放空間３１を見たとき、第３傾斜面１１ｃが僅かに見える傾斜角度に設定されている。
【００４７】
このような構成とすれば、第３傾斜面１１ｃが視線を誘導する案内板的な役目を果たすため、装置本体１の正面に対峙している操作者の視線を、自然に開放空間３１の方に向かわせることができる。これにより、操作者は、胴内排紙部１５の排紙トレイ１５ａ上への用紙の排出状況を自然と視認することになり、用紙の取り忘れなども無くすことができる。
【００４８】
すなわち、本実施形態によれば、開放空間３１を構成する３辺が第１傾斜面２２と第２傾斜面１３ｂと第３傾斜面１１ｃとで構成されており、装置本体１の正面に対峙している操作者から見れば、その全ての面２２，１３ｂ，１１ｃが開放空間３１に向かうように傾斜して見えるため、操作者の視線が自ずと開放空間３１に誘導されるようになっている。これにより、胴内排紙部１５の排紙トレイ１５ａ上に排出される用紙の視認性や、その後の操作性（取り出しの容易性）を向上させることができるものである。
【００４９】
なお、本実施形態においても、胴内排紙部１５の内壁及び排紙トレイ１５ａを黒っぽい色の材料で形成しておくことで、白い用紙をより認識しやすくしている。
【００５０】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００５１】
１  装置本体
２  自動原稿処理装置
１１  上部筐体
１１ａ  １段凹んだ前面
１１ｂ  １段前へ突き出た前面
１１ｃ  第３傾斜面
１２  下部筐体
１３  連結筐体
１３ａ  胴内排紙口（排紙口）
１３ｂ  正面（第２傾斜面）
１３ｂ１  外側の縁部
１３ｂ２  開放空間側の縁部
１５  胴内排紙部（排紙部）
１５ａ  排紙トレイ（用紙積載面）
１５ｂ  用紙整合基準位置
１６  前扉
１７ａ〜１７ｄ  横扉
１９ａ〜１９ｄ  給紙カセット
２１  操作パネル部
２２  一方の側の側面（第１傾斜面）
３１  開放空間
１００  画像処理装置
【図１】
0005131785.tif 000002
【図２】
0005131785.tif 000003
【図３Ａ】
0005131785.tif 000004
【図３Ｂ】
0005131785.tif 000005
【図４Ａ】
0005131785.tif 000006
【図４Ｂ】
0005131785.tif 000007
【図５】
0005131785.tif 000008
【図６】
0005131785.tif 000009